(57)【要約】【課題】ノズル形成面を覆うカバー部を有する記録ヘッドに付着するミストを効果的に除去する。【解決手段】液体を吐出可能なノズルＮが形成されるノズル形成面２０と、該ノズル形成面２０におけるノズルＮの非形成領域Ｒｎの少なくとも一部を覆うカバー部２２と、を有する記録ヘッド７と、ノズル形成面２０をワイプ可能な第１ワイパー１９ａと、カバー部２２をワイプ可能な第２ワイパー１９ｂと、を備えることを特徴とする記録装置１。このような構成の記録装置１とすることで、ノズル形成面２０を覆うカバー部２２を有する記録ヘッド７に付着するミストを効果的に除去することが可能になる。【選択図】図５
2016168757.tif 000002
【特許請求の範囲】
【請求項１】
液体を吐出可能なノズルが形成されるノズル形成面と、該ノズル形成面における前記ノズルの非形成領域の少なくとも一部を覆うカバー部と、を有する記録ヘッドと、
前記ノズル形成面をワイプ可能な第１ワイパーと、
前記カバー部をワイプ可能な第２ワイパーと、
を備えることを特徴とする記録装置。
【請求項２】
請求項１に記載の記録装置において、
前記第１ワイパーは、前記ノズル形成面と交差する方向から見て湾曲した形状であり、
前記第２ワイパーは、平板状であることを特徴とする記録装置。
【請求項３】
請求項１又は２に記載の記録装置において、
前記第２ワイパーは、前記ノズル形成面には非接触で前記カバー部をワイプ可能に構成されていることを特徴とする記録装置。
【請求項４】
請求項１から３のいずれか１項に記載の記録装置において、
前記記録ヘッドは、被記録媒体に対して液体を吐出可能な記録領域を往復移動可能であり、
前記第１ワイパー及び前記第２ワイパーは、前記記録ヘッドの往復移動方向において前記記録領域の一方の外側に設けられていることを特徴とする記録装置。
【請求項５】
請求項４に記載の記録装置において、
前記記録領域の他方の外側には、前記記録ヘッドの往復移動に伴って前記ノズル形成面には非接触で前記カバー部をワイプ可能な第３ワイパーを備えることを特徴とする記録装置。
【請求項６】
請求項１から５のいずれか１項に記載の記録装置において、
前記第１ワイパーは、平板状の構成部材を湾曲させた状態で固定することで形成されることを特徴とする記録装置。
【請求項７】
請求項１から６のいずれか１項に記載の記録装置において、
前記ノズル形成面には、前記ノズルが並べられてノズル列が形成され、
前記第１ワイパー及び前記第２ワイパーは、前記ノズルが並べられる方向であるノズル列方向に沿ってワイプ可能であることを特徴とする記録装置。
【請求項８】
請求項７に記載の記録装置において、
前記ノズル形成面には、前記ノズル列が、前記ノズル列方向と交差する方向に、複数並べられて形成され、
前記第１ワイパーは、前記ノズル列各々に対応して複数設けられ、
前記第２ワイパーは、前記ノズル列の数よりも少ない数、設けられることを特徴とする記録装置。
【発明の詳細な説明】
【技術分野】
【０００１】
本発明は、記録装置に関する。
【背景技術】
【０００２】
従来から、ノズルからインクなどの液体を吐出して記録する記録ヘッドを備える記録装置が使用されている。このような記録装置においては、記録ヘッドから液体を吐出することに伴って発生するミストが記録ヘッドに付着し、記録品質が低下する場合などがある。そこで、このようなミストをワイプ（ｗｉｐｅ）するワイパーを備える記録装置が多く使用されている。  
例えば、特許文献１には、複数の板状のワイパーを組み合わせた記録装置が開示されている。  
また、記録ヘッドの形状には、様々なものがあり、特許文献２で開示されるように、液体を吐出可能なノズルが形成されるノズル形成面を覆うカバー部を有する記録ヘッドが使用されている。
【先行技術文献】
【特許文献】
【０００３】
【特許文献１】特開２００４−１６７９２８号公報
【特許文献２】特開２０１４−４６５０２号公報
【発明の概要】
【発明が解決しようとする課題】
【０００４】
ノズル形成面を覆うカバー部を有する記録ヘッドを備える記録装置では、ノズル形成面にミストが付着して記録品質が低下する場合があるほか、カバー部にミストが付着して該ミストが被記録媒体に垂れるなどして付着して該被記録媒体を汚してしまう場合などがある。そこで、このような記録ヘッドを備える記録装置においては、ノズル形成面のほかカバー部に付着したミストを効果的に除去する必要がある。  
しかしながら、特許文献１で開示されるような従来の記録装置で使用されるワイパーでは、ノズル形成面とカバー部の両方に付着したミストを効果的に除去することが困難であった。これは、カバー部に対してノズル形成面が窪んだ位置になるため、ノズル形成面にワイパーが届かないためである。  
すなわち、ノズル形成面を覆うカバー部を有する記録ヘッドを備える従来の記録装置においては、該記録ヘッドに付着するミストを効果的に除去することが困難であった。
【０００５】
そこで、本発明の目的は、ノズル形成面を覆うカバー部を有する記録ヘッドに付着するミストを効果的に除去することである。
【課題を解決するための手段】
【０００６】
上記課題を解決するための本発明の第１の態様の記録装置は、液体を吐出可能なノズルが形成されるノズル形成面と、該ノズル形成面における前記ノズルの非形成領域の少なくとも一部を覆うカバー部と、を有する記録ヘッドと、前記ノズル形成面をワイプ可能な第１ワイパーと、前記カバー部をワイプ可能な第２ワイパーと、を備えることを特徴とする。
【０００７】
本発明の第２の態様の記録装置は、前記第１の態様において、前記第１ワイパーは、前記ノズル形成面と交差する方向から見て湾曲した形状であり、前記第２ワイパーは、平板状であることを特徴とする。
【０００８】
本発明の第３の態様の記録装置は、前記第１又は第２の態様において、前記第２ワイパーは、前記ノズル形成面には非接触で前記カバー部をワイプ可能に構成されていることを特徴とする。
【０００９】
本発明の第４の態様の記録装置は、前記第１から第３のいずれか１つの態様において、前記記録ヘッドは、被記録媒体に対して液体を吐出可能な記録領域を往復移動可能であり、前記第１ワイパー及び前記第２ワイパーは、前記記録ヘッドの往復移動方向において前記記録領域の一方の外側に設けられていることを特徴とする。
【００１０】
本発明の第５の態様の記録装置は、前記第４の態様において、前記記録領域の他方の外側には、前記記録ヘッドの往復移動に伴って前記ノズル形成面には非接触で前記カバー部をワイプ可能な第３ワイパーを備えることを特徴とする。
【００１１】
本発明の第６の態様の記録装置は、前記第１から第５のいずれか１つの態様において、前記第１ワイパーは、平板状の構成部材を湾曲させた状態で固定することで形成されることを特徴とする。
【００１２】
本発明の第７の態様の記録装置は、前記第１から第６のいずれか１つの態様において、前記ノズル形成面には、前記ノズルが並べられてノズル列が形成され、前記第１ワイパー及び前記第２ワイパーは、前記ノズルが並べられる方向であるノズル列方向に沿ってワイプ可能であることを特徴とする。
【００１３】
本発明の第８の態様の記録装置は、前記第７の態様において、前記ノズル形成面には、前記ノズル列が、前記ノズル列方向と交差する方向に、複数並べられて形成され、前記第１ワイパーは、前記ノズル列各々に対応して複数設けられ、前記第２ワイパーは、前記ノズル列の数よりも少ない数、設けられることを特徴とする。
【発明の効果】
【００１４】
本発明によれば、ノズル形成面を覆うカバー部を有する記録ヘッドに付着するミストを効果的に除去することができる。
【図面の簡単な説明】
【００１５】
【図１】本発明の実施例１の記録装置を表す概略側面図。
【図２】本発明の実施例１の記録装置を表す概略正面図。
【図３】本発明の実施例１の記録装置を表す概略平面図。
【図４】本発明の実施例１の記録装置を表すブロック図。
【図５】本発明の実施例１の記録装置の要部を表す概略底面図。
【図６】本発明の実施例１の記録装置の要部を表す概略側面図。
【図７】本発明の実施例１の記録装置の要部を表す概略正面図。
【図８】本発明の実施例１の記録装置の要部を表す概略底面図。
【図９】本発明の実施例１の記録装置の要部を表す概略図。
【図１０】本発明の実施例２の記録装置の要部を表す概略底面図。
【発明を実施するための形態】
【００１６】
［実施例１］（図１〜図９）  
以下に、本発明の実施例に係る記録装置について、添付図面を参照して詳細に説明する。  
最初に、本発明の実施例１に係る記録装置１の概要について説明する。  
図１は、本実施例の記録装置１の概略側面図である。また、図２及び図３は、本実施例の記録装置１の要部であるワイパー１９を有するメンテナンス部Ｍが設けられた、被記録媒体Ｐの搬送機構３の周辺部分の概略図である。このうち、図２はその概略正面図であり、図３はその概略平面図である。
【００１７】
図１で表されるように、本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送部としての搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１８】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１９】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転し、粘着性ベルト１０は方向Ｅに移動する。  
ただし、搬送ベルトは粘着性ベルトに限定されない。例えば、静電吸着式の搬送ベルトを用いてもよい。
【００２０】
記録機構４は、ノズルＮ（図５参照）からインク（液体）を吐出可能な記録ヘッド７を備え、該記録ヘッド７を搭載するキャリッジを被記録媒体Ｐに対して往復移動方向Ｂに往復移動させるキャリッジモーター３０（図４参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送（粘着性ベルト１０を間欠移動）させている。
【００２１】
また、図２及び図３で表されるように、搬送機構３による被記録媒体Ｐの搬送領域Ｒｃにおける記録ヘッド７による記録領域Ｒｐの、往復移動方向Ｂにおける両方の端部４１に、メンテナンス部Ｍが設けられている。  
詳細は後述するが、本実施例の記録装置１は、メンテナンス部Ｍとして、記録ヘッド７のホームポジション（非記録時における記録ヘッド７の待機位置）側の端部４１にメンテナンス部Ｍ１が設けられ、ホームポジション側とは反対側の端部４１にメンテナンス部Ｍ２が設けられている。そして、メンテナンス部Ｍ１には、記録ヘッド７がホームポジションにあるときに、方向Ｅに沿う方向である方向Ｇに移動することで記録ヘッド７をワイプ可能な湾曲した形状の第１ワイパー１９ａと平板状の第２ワイパー１９ｂとが設けられている。また、メンテナンス部Ｍ２には、方向Ｅに沿って延設される平板状の第３ワイパー１９ｃが設けられており、第３ワイパー１９ｃにより記録中に記録ヘッド７をワイプ可能な構成になっている。また、メンテナンス部Ｍ１及びＭ２は方向Ｄに移動可能であり、ワイパー１９（第１ワイパー１９ａ、第２ワイパー１９ｂ及び第３ワイパー１９ｃ）が記録中に記録ヘッド７と接触しないように退避することも可能である。  
なお、図１から図３では不図示であるが、本実施例のメンテナンス部Ｍ１には、ワイパー１９のほか、キャップ及び吸引機構等を備えている。
【００２２】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００２３】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２４】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。
【００２５】
次に、本実施例の記録装置１における電気的な構成について説明する。  
図４は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行するメンテナンスシーケンスなどの各種制御プログラム等を格納したＲＯＭ２６と、データを一時的に格納可能なＲＡＭ２７と接続されている。
【００２６】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３、ワイパー移動モーター３４及びメンテナンス部移動モーター３５を駆動させるためのモーター駆動部２９と接続されている。  
ここで、キャリッジモーター３０は、記録ヘッド７を搭載したキャリッジを移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。また、ワイパー移動モーター３４は、第１ワイパー１９ａ及び第２ワイパー１９ｂを方向Ｇに沿って移動させるためのモーターである。そして、メンテナンス部移動モーター３５は、メンテナンス部Ｍ（メンテナンス部Ｍ１及びＭ２）を方向Ｄに移動するモーターである。
【００２７】
また、ＣＰＵ２４は、システムバス２５を介して、被記録媒体Ｐを切断するようカッター１６を駆動させるカッター駆動部３６と接続されている。  
さらに、ＣＰＵ２４は、システムバス２５を介して、入出力部３７と接続されており、入出力部３７は記録データ等のデータ及び信号の送受信を行うためのＰＣ３８と接続されている。
【００２８】
次に、本実施例の記録装置１の要部である、記録ヘッド７及びワイパー１９について説明する。  
図５は本実施例の記録ヘッド７を表す概略底面図である。このうち、図５（Ａ）は記録ヘッド７が第１ワイパー１９ａ及び第２ワイパー１９ｂに接触していない状態を表しており、図５（Ｂ）は記録ヘッド７が第１ワイパー１９ａ及び第２ワイパー１９ｂに接触してワイプされている状態を表している。  
また、図６は本実施例の記録ヘッド７を表す概略側面図である。このうち、図６（Ａ）は記録ヘッド７が第１ワイパー１９ａ及び第２ワイパー１９ｂに接触していない状態を表しており、図６（Ｂ）は記録ヘッド７が第１ワイパー１９ａ及び第２ワイパー１９ｂに接触してワイプされている状態を表している。  
また、図７は本実施例の記録ヘッド７を表す概略正面図である。このうち、図７（Ａ）は記録ヘッド７が第１ワイパー１９ａ及び第２ワイパー１９ｂに接触していない状態を表している。また、図７（Ｂ）及び（Ｃ）は記録ヘッド７が第１ワイパー１９ａ及び第２ワイパー１９ｂに接触してワイプされている状態を表しており、図７（Ｂ）は記録ヘッド７と第１ワイパー１９ａとが接触している部分を表しており、図７（Ｃ）は記録ヘッド７と第２ワイパー１９ｂとが接触している部分を表している。  
また、図８は本実施例の記録ヘッド７を表す概略底面図であり、第１ワイパー１９ａ及び第２ワイパー１９ｂによるワイプ状態を表している。  
そして、図９は、本実施例の第１ワイパー１９ａを表す概略図である。
【００２９】
図６（Ａ）及び（Ｂ）で表されるように、本実施例のメンテナンス部Ｍ１には、記録ヘッド７のノズル形成面２０側をワイプ可能なワイパー１９として、第１ワイパー１９ａと第２ワイパー１９ｂとを備えている。なお、図６（Ａ）で表されるように、第１ワイパー１９ａ及び第２ワイパー１９ｂは、これらの上側（記録ヘッド７と接触する側）の面ｕが記録ヘッド７のノズル形成面２０側に対して平行となる位置関係で設けられている。そして、第１ワイパー１９ａ及び第２ワイパー１９ｂは、図６（Ｂ）で表されるように、第１ワイパー１９ａ及び第２ワイパー１９ｂと記録ヘッド７とが、第１ワイパー１９ａ及び第２ワイパー１９ｂに撓みＢｅが発生する位置関係で、方向Ｇに移動して記録ヘッド７のノズル形成面２０側をワイプすることができる。すなわち、第１ワイパー１９ａ及び第２ワイパー１９ｂの面ｕが記録ヘッド７のノズル形成面２０側に押し当てられた状態でワイプされる。
【００３０】
また、図５及び図７で表されるように、本実施例の記録ヘッド７は、インクを吐出可能なノズルＮが形成されるノズル形成面２０と、該ノズル形成面２０におけるノズルＮの非形成領域Ｒｎの少なくとも一部を覆うカバー部２２と、を有している。  
また、本実施例の記録装置１は、図５で表されるように、ノズル形成面２０と交差する方向から見て湾曲した形状の第１ワイパー１９ａと、カバー部２２をワイプ可能な平板状の第２ワイパー１９ｂと、を備えている。詳細には、図７（Ｂ）で表されるように、湾曲した形状の第１ワイパー１９ａが撓みＢｅを有するように第１ワイパー１９ａの上側を記録ヘッド７のノズル形成面２０側に押し当て、第１ワイパー１９ａの方向Ｇにおける先頭部分Ｆｒの上側Ｆｒｕをノズル形成面２０に接触させる。こうして、カバー部２２に対して窪んだ位置のノズル形成面２０を第１ワイパー１９ａにより効果的にワイプすることができる。そして、図７（Ｃ）で表されるように、平板状の第２ワイパー１９ｂにより、カバー部２２を効果的にワイプすることができる。  
このような構成により、本実施例の記録装置１は、記録ヘッド７に付着するミストを効果的に除去することができる構成になっている。  
なお、「ノズル形成面２０におけるノズルＮの非形成領域Ｒｎ」とは、ノズル形成面２０においてノズルＮが形成されていない全ての領域を意味する。すなわち、本実施例の記録ヘッド７は、ノズルＮが形成されるノズルプレート２１と、ノズルプレート２１のノズル形成面２０の少なくとも一部をノズルＮに対して接触することなく覆うカバー部２２と、を備えているということができる。
【００３１】
ここで、図８を用いて、メンテナンス部Ｍ１のワイパー１９（第１ワイパー１９ａ及び第２ワイパー１９ｂ）による記録ヘッド７のノズル形成面２０側のワイプ状態について説明する。
【００３２】
図８（Ａ）は、インクミストが記録ヘッド７のノズル形成面２０側の全体的な範囲Ｉｍ１に付着した状態を表している。
【００３３】
図８（Ｂ）は、メンテナンス部Ｍ１のワイパー１９のうちの第１ワイパー１９ａに着目したワイプ状態を表している。図７（Ｂ）で表されるように、第１ワイパー１９ａは、撓みＢｅを有するように記録ヘッド７に押し当てられることで、ノズル形成面２０と、カバー部２２のうちの往復移動方向Ｂにおけるノズル形成面２０に近い側と、に接触する。このため、第１ワイパー１９ａでワイプされることで、ノズル形成面２０と、カバー部２２のうちのノズル形成面２０に近い側と、がワイプされ、カバー部２２のうちのノズル形成面２０に遠い側の範囲Ｉｍ２にインクミストが残る。なお、記録ヘッド７に付着したインクミストの量によっては、第１ワイパー１９ａでワイプされることで、ノズル形成面２０及びカバー部２２のうちのノズル形成面２０に近い側から、カバー部２２のうちのノズル形成面２０に遠い側に、インクミストが移動することもある。  
なお、本実施例の第１ワイパー１９ａは、図６で表されるように、該第１ワイパー１９ａの上側の面ｕが記録ヘッド７のノズル形成面２０側（ノズル形成面２０及びカバー部２２）に対して平行となる位置関係で、記録ヘッド７のノズル形成面２０側に接触する構成になっている。しかしながら、このような構成に限定されない。例えば、第１ワイパー１９ａの先頭部分Ｆｒの上側Ｆｒｕがノズル形成面２０に対してより接触し易くなるように、第１ワイパー１９ａの上側の面ｕが記録ヘッド７のノズル形成面２０側に対して斜め（方向Ｇの後端側が下がっている構成）になる位置関係で構成されていてもよい。
【００３４】
図８（Ｃ）は、メンテナンス部Ｍ１のワイパー１９のうちの第２ワイパー１９ｂに着目したワイプ状態を表している。図７（Ｃ）で表されるように、第２ワイパー１９ｂは、ノズル形成面２０には非接触でカバー部２２をワイプ可能に構成されている。具体的には、図７（Ａ）で表されるように、記録ヘッド７の往復移動方向Ｂにおけるノズル形成面２０のカバー部２２で覆われていない露出領域Ｒｏの長さＬ１に対する、カバー部２２におけるノズル形成面２０を覆うカバー領域の厚みＬ２を、十分大きくすることで、ノズル形成面２０には非接触でカバー部２２をワイプ可能にしている。このような構成により、第２ワイパー１９ｂに付着したインクミストがノズルＮに押し込まれることを抑制しつつカバー部２２に付着するインクミストを除去することができる構成になっている。
【００３５】
図８（Ｄ）は、実際の本実施例のメンテナンス部Ｍ１のワイパー１９によるワイプ状態を表しており、図８（Ｂ）と図８（Ｃ）とを組み合わせた図に相当する。本実施例の記録装置１は、上記のように、湾曲した形状の第１ワイパー１９ａにより、カバー部２２に対して窪んだ位置のノズル形成面２０からカバー部２２にインクミストを移動させる。そして、平板状の第２ワイパー１９ｂにより、ノズル形成面２０には非接触で、ノズル形成面２０から移動してきたインクミストと共に、カバー部２２に付着したインクミストを除去する（記録ヘッド７から移動する）ことができる。すなわち、本実施例の記録装置１は、インクミストがノズルＮに押し込まれることを抑制しつつ記録ヘッド７に付着するインクミストを特に効果的に除去することができる構成になっている。
【００３６】
ここで、図８（Ａ）から（Ｄ）で表されるように、ノズル形成面２０には、ノズルＮが並べられてノズル列Ｎｒが形成されており、第１ワイパー１９ａ及び第２ワイパー１９ｂは、方向Ｇ、すなわち、ノズルＮが並べられる方向であるノズル列方向に沿ってワイプ可能である。このような構成とすることで、ノズル形成面２０のカバー部２２で覆われていない露出領域Ｒｏにおける長手方向と交差する方向である往復移動方向Ｂに、第１ワイパー１９ａ及び第２ワイパー１９ｂでカバー部２２をワイプする構成（ノズル形成面２０に第２ワイパー１９ｂが接触し易い構成）を避けている。こうして、ノズル形成面２０に第２ワイパー１９ｂが接触し難い構成とし、第２ワイパー１９ｂに付着したインクミストがノズルＮに押し込まれることを抑制している。
【００３７】
次に、本実施例の第１ワイパー１９ａの詳細な構成について図９を用いて説明する。  
本実施例の第１ワイパー１９ａは、平板状の構成部材を湾曲させた状態で固定することで形成されている。具体的には、図９（Ａ）の概略斜視図で表されるように、最初に、第１ワイパー１９ａを構成する平板状の構成部材（弾性部材）を、凸面を有する支持部３９の凸面に合せる。その後、図９（Ｂ）の概略斜視図で表されるように、支持部３９の凸面に合せられた平板状の構成部材を、その状態を維持して固定部４０で固定する。すると、図９（Ｃ）の概略平面図で表されるように、平面視で（ノズル形成面２０と交差する方向から見て）湾曲した形状の第１ワイパー１９ａが形成される。  
ノズル形成面２０と交差する方向から見て湾曲した形状を予め形成するよりも、平板状の構成部材を湾曲させた状態で固定するほうが、簡単な場合がある。本実施例の第１ワイパー１９ａは、こうして、簡単に湾曲した形状のワイパーを形成している。なお、平板状の構成部材を湾曲させた状態で固定する構成としていることで、該平板状の構成部材を、他の部分の構成部材と、共通化させている。具体的には、第１ワイパー１９ａの構成材料を第２ワイパー１９ｂ及び第３ワイパー１９ｃの構成材料と共通化させている。
【００３８】
また、図３で表されるように、本実施例の記録装置１は、記録ヘッド７を被記録媒体Ｐに対してインクを吐出可能な記録領域Ｒｐを往復移動させて記録することが可能である。そして、第１ワイパー１９ａ及び第２ワイパー１９ｂを、記録ヘッド７の往復移動方向Ｂにおける記録領域Ｒｐの一方の外側であるホームポジションに設けている。こうして、第１ワイパー１９ａ及び第２ワイパー１９ｂを記録ヘッド７のホームポジションに設ける構成とすることで、第１ワイパー１９ａ及び第２ワイパー１９ｂでのワイピング位置を別途ホームポジション以外に設ける必要を無くし、装置が大型化することを抑制している。
【００３９】
さらに、本実施例の記録装置１は、記録領域Ｒｐの他方の外側（ホームポジション側とは反対側）であって記録ヘッド７の往復移動範囲Ｒｈに、記録ヘッド７の往復移動に伴ってノズル形成面２０には非接触でカバー部２２をワイプ可能な第３ワイパー１９ｃを備えている。具体的には、記録ヘッド７の往復移動方向Ｂにおけるノズル形成面２０のカバー部２２で覆われていない露出領域Ｒｏの長さＬ１に対する、カバー部２２におけるノズル形成面２０を覆うカバー領域の厚みＬ２を、十分大きくすることで、ノズル形成面２０には非接触でカバー部２２をワイプ可能にしている。  
このような構成により、第３ワイパー１９ｃにより、記録中において、ノズル形成面２０には非接触でカバー部２２をワイプしている。このため、記録速度を低下させることなく、第３ワイパー１９ｃにより、記録ヘッド７をワイプし、第１ワイパー１９ａ及び第２ワイパー１９ｂでのワイプの頻度を少なくしている。すなわち、第１ワイパー１９ａ及び第２ワイパー１９ｂでのワイプ時間の低減により記録速度の低下を抑制しつつ、記録ヘッド７に付着するインクミストを効果的に除去している。  
なお、本実施例の第３ワイパー１９ｃは、方向Ｅに延設される平板状のワイパーであるが、このような構成に限定されない。
【００４０】
また、本実施例のカバー部２２は、ワイパー１９（第１ワイパー１９ａ、第２ワイパー１９ｂ及び第３ワイパー１９ｃ）よりもインクに対する撥液性が高い部材で構成されている。すなわち、カバー部２２はワイパー１９よりもインクに対して濡れ難い。このため、ワイパー１９でカバー部２２をワイプすることに伴って、効率的に、カバー部２２からワイパー１９にインク（カバー部２２に付着したインクのミスト）を移動させることができる構成になっている。  
なお、カバー部２２をワイパー１９よりもインクに対する撥液性が高い構成にする手段に特に限定はなく、材料を変えて構成する手段のほか、表面処理を変えて構成する手段などとしてもよい。
【００４１】
また、本実施例のカバー部２２は、ノズル形成面２０に対して側面側の領域よりも、ノズル形成面２０側の領域のほうがインクに対する撥液性が高くなるように構成されている。別の表現をすると、本実施例のカバー部２２は、ノズルＮから遠い側よりもノズルＮに近い側のほうがインクに対する撥液性が高くなるように構成されている。このため、ノズルＮに近い側（ノズル形成面２０側の領域）からノズルＮから遠い側（側面側の領域）に向かってカバー部２２に付着したミストが移動しやすくなり、ノズルＮにミストが押し込まれることを効果的に抑制している。  
なお、ノズルＮから遠い側よりもノズルＮに近い側のほうがインクに対する撥液性が高くなるように構成する手段に特に限定はなく、材料を変えて構成する手段のほか、表面処理を変えて構成する手段などとしてもよい。
【００４２】
なお、本実施例の記録装置１は、ブラック、シアン、マゼンタ及びイエローのインクを使用可能である。そして、本実施例の記録ヘッド７は、図５で表されるように、ブラック、シアン、マゼンタ及びイエローのインクに対応する各々同様の構成の記録ヘッド７ａ、７ｂ、７ｃ及び７ｄが、４つ往復移動方向Ｂに並べて構成されている。なお、図７及び図８は、記録ヘッド７ａ、７ｂ、７ｃ及び７ｄのうちの１つに相当している。  
ただし、このような構成に限定されず、例えば、複数のインクを吐出するノズル列Ｎｒを１つのノズルプレート２１に構成してもよい。
【００４３】
［実施例２］（図１０）  
次に、本発明の実施例２に係る記録装置について説明する。  
図１０は、本実施例の記録ヘッド７を表す概略底面図であるとともに、記録ヘッド７が第１ワイパー１９ａ及び第２ワイパー１９ｂに接触してワイプされている状態を表す図であり、実施例１の記録ヘッド７を表す図５（Ｂ）に対応する図である。なお、上記実施例１と共通する構成部材は同じ符号で示しており、詳細な説明は省略する。  
本実施例の記録装置１は、記録ヘッド７及び第２ワイパー１９ｂの構成のみが実施例１の記録装置１と相違する。
【００４４】
実施例１の記録ヘッド７は使用する４つのインクに対応した４つの記録ヘッド７ａ、７ｂ、７ｃ及び７ｄを備え、第２ワイパー１９ｂは４つの記録ヘッド７ａ、７ｂ、７ｃ及び７ｄに対応して４つ設けられていた。  
一方、本実施例の記録ヘッド７は４つのインクを吐出するノズル列Ｎｒを１つのノズルプレート２１に構成し、記録ヘッド７のノズルプレート２１側全体（カバー部２２全体）をワイプ可能な第２ワイパー１９ｂを１つ備える構成である。
【００４５】
別の表現をすると、本実施例の記録装置１は、ノズル形成面２０に、ノズル列Ｎｒがノズル列方向と交差する方向に複数（４つ）並べられて形成されている。そして、第１ワイパー１９ａはノズル列Ｎｒ各々に対応して複数（４つ）設けられ、第２ワイパー１９ｂはノズル列Ｎｒの数よりも少ない数（１つ）設けられている。すなわち、ノズル形成面２０の複数のノズル列Ｎｒ各々については、ノズル列Ｎｒ各々に対応して設けられる複数の第１ワイパー１９ａでワイプし、カバー部２２については、１つの第２ワイパー１９ｂでまとめてワイプすることができる構成である。このため、本実施例の記録装置１は、より高い精度でワイプされることが要求されるノズル形成面２０については、複数のノズル列Ｎｒ毎に高い精度でワイプし、ノズル形成面２０ほどは高い精度でワイプされることが要求されないカバー部２２については、低コスト（１つのワイパー）でワイプすることができる。
【００４６】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４７】
本発明の第１の態様の記録装置１は、液体を吐出可能なノズルＮが形成されるノズル形成面２０と、該ノズル形成面２０におけるノズルＮの非形成領域Ｒｎの少なくとも一部を覆うカバー部２２と、を有する記録ヘッド７と、ノズル形成面２０をワイプ可能な第１ワイパー１９ａと、カバー部２２をワイプ可能な第２ワイパー１９ｂと、を備えることを特徴とする。
【００４８】
本態様によれば、ノズル形成面２０をワイプ可能なと、カバー部２２をワイプ可能な第２ワイパー１９ｂと、を備える。このため、第１ワイパー１９ａによりカバー部２２に対して窪んだ位置のノズル形成面２０をワイプすることができ、第２ワイパー１９ｂによりカバー部２２をワイプすることができる。したがって、記録ヘッド７に付着するミストを効果的に除去することができる。
【００４９】
本発明の第２の態様の記録装置１は、前記第１の態様において、第１ワイパー１９ａは、ノズル形成面２０と交差する方向から見て湾曲した形状であり、第２ワイパー１９ｂは、平板状であることを特徴とする。
【００５０】
本態様によれば、ノズル形成面２０をワイプ可能なノズル形成面２０と交差する方向から見て湾曲した形状の第１ワイパー１９ａと、カバー部２２をワイプ可能な平板状の第２ワイパー１９ｂと、を備える。このため、湾曲した形状の第１ワイパー１９ａによりカバー部２２に対して窪んだ位置のノズル形成面２０を効果的にワイプすることができ、平板状の第２ワイパー１９ｂによりカバー部２２を効果的にワイプすることができる。したがって、記録ヘッド７に付着するミストを効果的に除去することができる。
【００５１】
本発明の第３の態様の記録装置１は、前記第１又は第２の態様において、第２ワイパー１９ｂは、ノズル形成面２０には非接触でカバー部２２をワイプ可能に構成されていることを特徴とする。
【００５２】
本態様によれば、第２ワイパー１９ｂは、ノズル形成面２０には非接触でカバー部２２をワイプ可能に構成されている。例えば、湾曲した形状の第１ワイパー１９ａによりカバー部２２に対して窪んだ位置のノズル形成面２０からカバー部２２にミストを移動させ、平板状の第２ワイパー１９ｂによりノズル形成面２０から移動してきたミストと共にカバー部２２に付着したミストを除去する（記録ヘッド７から移動する）ことで、第２ワイパー１９ｂに付着したミストがノズルＮに押し込まれることを抑制することができる。すなわち、記録ヘッド７に付着するミストを特に効果的に除去することができる。
【００５３】
本発明の第４の態様の記録装置１は、前記第１から第３のいずれか１つの態様において、記録ヘッド７は、被記録媒体Ｐに対して液体を吐出可能な記録領域Ｒｐを往復移動可能であり、第１ワイパー１９ａ及び第２ワイパー１９ｂは、記録ヘッド７の往復移動方向Ｂにおいて記録領域Ｒｐの一方の外側に設けられていることを特徴とする。
【００５４】
本態様によれば、第１ワイパー１９ａ及び第２ワイパー１９ｂは、記録ヘッド７の往復移動方向Ｂにおいて記録領域Ｒｐの一方の外側に設けられている。このため、例えば、第１ワイパー１９ａ及び第２ワイパー１９ｂを記録ヘッド７のホームポジションに設ける構成とすることで、第１ワイパー１９ａ及び第２ワイパー１９ｂでのワイピング位置を別途ホームポジション以外に設ける必要が無くなり、装置が大型化することを抑制できる。  
なお、「記録ヘッド７のホームポジション」とは、非記録時における記録ヘッド７の待機位置を意味する。
【００５５】
本発明の第５の態様の記録装置１は、前記第４の態様において、記録領域Ｒｐの他方の外側には、記録ヘッド７の往復移動に伴ってノズル形成面２０には非接触でカバー部２２をワイプ可能な第３ワイパー１９ｃを備えることを特徴とする。
【００５６】
本態様によれば、記録領域Ｒｐの他方の外側には、記録ヘッド７の往復移動に伴ってノズル形成面２０には非接触でカバー部２２をワイプ可能な第３ワイパー１９ｃを備える。このため、第３ワイパー１９ｃにより、記録中であっても、ノズル形成面２０には非接触でカバー部２２をワイプすることができる。このため、記録速度を低下させることなく、第３ワイパー１９ｃにより、記録ヘッド７をワイプすることができ、第１ワイパー１９ａ及び第２ワイパー１９ｂでのワイプの頻度を少なくすることができる。すなわち、第１ワイパー１９ａ及び第２ワイパー１９ｂでのワイプ時間の低減により記録速度の低下を抑制しつつ、記録ヘッド７に付着するミストを効果的に除去することができる。
【００５７】
本発明の第６の態様の記録装置１は、前記第１から第５のいずれか１つの態様において、第１ワイパー１９ａは、平板状の構成部材を湾曲させた状態で固定することで形成されることを特徴とする。
【００５８】
本態様によれば、第１ワイパー１９ａは、平板状の構成部材を湾曲させた状態で固定することで形成される。ノズル形成面２０と交差する方向から見て湾曲した形状を予め形成するよりも、平板状の構成部材を湾曲させた状態で固定するほうが、簡単な場合がある。また、平板状の構成部材を湾曲させた状態で固定する構成とすることで、該平板状の構成部材を、他の部分の構成部材と、共通化させることも簡単になる。
【００５９】
本発明の第７の態様の記録装置１は、前記第１から第６のいずれか１つの態様において、ノズル形成面２０には、ノズルＮが並べられてノズル列Ｎｒが形成され、第１ワイパー１９ａ及び第２ワイパー１９ｂは、ノズルＮが並べられる方向であるノズル列方向に沿ってワイプ可能であることを特徴とする。
【００６０】
本態様によれば、第１ワイパー１９ａ及び第２ワイパー１９ｂは、ノズル列方向に沿ってワイプ可能である。このような構成とすることで、ノズル形成面２０のカバー部２２で覆われていない露出領域Ｒｏにおける長手方向と交差する方向に、第１ワイパー１９ａ及び第２ワイパー１９ｂでカバー部２２をワイプする構成（ノズル形成面２０に第２ワイパー１９ｂが接触し易い構成）を、容易に避けることができる。このため、ノズル形成面２０に第２ワイパー１９ｂが接触し難い構成とすることが容易にでき、第２ワイパー１９ｂに付着したミストがノズルＮに押し込まれることを容易に抑制することができる。
【００６１】
本発明の第８の態様の記録装置１は、前記第７の態様において、ノズル形成面２０には、ノズル列Ｎｒが、前記ノズル列方向と交差する方向に、複数並べられて形成され、第１ワイパー１９ａは、ノズル列Ｎｒ各々に対応して複数設けられ、第２ワイパー１９ｂは、ノズル列Ｎｒの数よりも少ない数、設けられることを特徴とする。
【００６２】
本態様によれば、第１ワイパー１９ａは、ノズル列Ｎｒ各々に対応して複数設けられ、第２ワイパー１９ｂは、ノズル列Ｎｒの数よりも少ない数、設けられる。すなわち、ノズル形成面２０の複数のノズル列Ｎｒ各々については、ノズル列Ｎｒ各々に対応して設けられる複数の第１ワイパー１９ａでワイプし、カバー部２２については、例えば１つの第２ワイパー１９ｂでまとめてワイプすることができる。このため、より高い精度でワイプされることが要求されるノズル形成面２０については、複数のノズル列Ｎｒ毎に高い精度でワイプし、ノズル形成面２０ほどは高い精度でワイプされることが要求されないカバー部２２については、低コストでワイプすることができる。
【符号の説明】
【００６３】
１…記録装置、２…繰出部、３…搬送機構、４…記録機構、５…繰出部２の回転軸、
６…従動ローラー、７…記録ヘッド、８…搬送ローラー、９…従動ローラー、
１０…粘着性ベルト、１１…従動ローラー、１２…加圧ローラー、１３…洗浄ブラシ、
１４…トレイ、１５…洗浄機構、１６…カッター、１７…巻取軸、１８…巻取機構、
１９…ワイパー、１９ａ…第１ワイパー、１９ｂ…第２ワイパー、
１９ｃ…第３ワイパー、２０…ノズル形成面、２１…ノズルプレート、
２２…カバー部、２３…制御部、２４…ＣＰＵ、２５…システムバス、２６…ＲＯＭ、
２７…ＲＡＭ、２８…ヘッド駆動部、２９…モーター駆動部、
３０…キャリッジモーター、３１…搬送モーター、３２…繰出モーター、
３３…巻取モーター、３４…ワイパー移動モーター、
３５…メンテナンス部移動モーター、３６…カッター駆動部、３７…入出力部、
３８…ＰＣ、３９…支持部、４０…固定部、
４１…記録領域Ｒｐの往復移動方向Ｂにおける端部、Ｆ…支持面、
Ｌ１…往復移動方向Ｂにおける露出領域Ｒｏの長さ、
Ｌ２…カバー部２２におけるカバー領域の厚み、Ｎ…ノズル、Ｎｒ…ノズル列、
Ｐ…被記録媒体、Ｒ１…被記録媒体Ｐのロール、Ｒ２…被記録媒体Ｐのロール、
Ｒｃ…搬送機構３による被記録媒体Ｐの搬送領域、
Ｒｈ…記録ヘッド７の往復移動範囲、
Ｒｎ…ノズル形成面２０におけるノズルＮの非形成領域、
Ｒｏ…ノズル形成面２０のカバー部２２で覆われていない露出領域
【図１】
2016168757.tif 000003
【図２】
2016168757.tif 000004
【図３】
2016168757.tif 000005
【図４】
2016168757.tif 000006
【図５】
2016168757.tif 000007
【図６】
2016168757.tif 000008
【図７】
2016168757.tif 000009
【図８】
2016168757.tif 000010
【図９】
2016168757.tif 000011
【図１０】
2016168757.tif 000012